(57)【要約】【課題】複数のプラグを装置へ接続および抜去する際の順番を規定して、折れ易い伝送部材の断線を防止するコネクタ機構の提供。【解決手段】コネクタ機構２１は、第１プラグ１５が接続される第１レセプタクル４１と、第２プラグ１６が接続される第２レセプタクル４２と、第１プラグ１５が第１レセプタクル４１に接続される接続路上に配設され、第１レセプタクル４１への接続を阻止する阻止部３２ａと、第２プラグ１６が第２レセプタクル４２に接続されている状態において、第２プラグ１６の移動または回動に連動して、第１プラグ１５の接続路上から阻止部３２ａを退避させる退避機構３１，３２，３６，３７と、を具備する。【選択図】図６
2017185145.tif 000002
【特許請求の範囲】
【請求項１】
第１プラグが接続される第１レセプタクルと、
第２プラグが接続される第２レセプタクルと、
前記第１プラグが前記第１レセプタクルに接続される接続路上に配設され、前記第１プラグの前記第１レセプタクルへの接続を阻止する阻止部と、
前記第２プラグが前記第２レセプタクルに接続されている状態において、前記第２プラグの移動または回動に連動して、前記第１プラグの前記接続路上から前記阻止部を退避させる退避機構と、
を具備することを特徴とするコネクタ機構。
【請求項２】
前記阻止部は、切欠を有する板状の部材であり、
前記退避機構は、前記第２プラグの移動または回動に連動して、前記第１プラグの前記接続路上に前記切欠を配置させる
ことを特徴とする請求項１に記載のコネクタ機構。
【請求項３】
前記第１プラグは、前記第２プラグよりも軽量であって、低剛性の伝送部材が実装されていることを特徴とする請求項１または請求項２に記載のコネクタ機構。
【請求項４】
前記第２レセプタクルに設けられ、前記第１プラグの前記接続路上から前記阻止部が退避されているときに、前記第２レセプタクルへの前記第２プラグの接続を係止してロックするロック機構を備えている
ことを特徴とする請求項１から請求項３のいずれか１項に記載のコネクタ機構。
【請求項５】
さらに、第３プラグが接続される第３レセプタクルを有し、
前記阻止部は、前記第３プラグが前記第３レセプタクルに接続される接続路上に配設され、前記第３プラグの前記第３レセプタクルへの接続を阻止し、
前記退避機構は、前記第２プラグの移動または回動に連動して、前記第３プラグの前記接続路上から前記阻止部を退避させる
ことを特徴とする請求項１から請求項４のいずれか１項に記載のコネクタ機構。
【請求項６】
請求項１から請求項４のいずれか１項に記載のコネクタ機構が設けられたビデオプロセッサと、
前記第１プラグおよび前記第２プラグが設けられたスコープコネクタを有する内視鏡と、
を具備することを特徴とする内視鏡システム。
【請求項７】
前記スコープコネクタは、さらに、第３プラグを備え、
前記第３プラグが接続される第３レセプタクルを有し、
前記阻止部は、前記第３プラグが前記第３レセプタクルに接続される接続路上に配設され、前記第３プラグの前記第３レセプタクルへの接続を阻止し、
前記退避機構は、前記第２プラグの移動または回動に連動して、前記第３プラグの前記接続路上から前記阻止部を退避させる
ことを特徴とする請求項６に記載の内視鏡システム。
【発明の詳細な説明】
【技術分野】
【０００１】
本発明は、複数のコネクタを装置に接続するコネクタ機構部に関し、特に、このコネクタ機構を備えた内視鏡システムに関する。
【背景技術】
【０００２】
従来、医療用分野においては、細長の挿入部を体腔内に挿入することにより、体腔内臓器などを観察することが出来る内視鏡が広く用いられている。
【０００３】
体腔内臓器などの観察画像をモニタに表示させる場合には、内視鏡挿入部先端または後端の撮像部に電荷結合素子（ＣＣＤ）などの固体撮像素子を配設した電子内視鏡などが用いられている。
【０００４】
電子内視鏡に設けた撮像素子から出力される信号は、電子内視鏡、外付けカメラなどとは別体の画像処理装置によって映像信号化されてモニタに出力される。そして、別体に構成された電子内視鏡と画像処理装置との間は、内視鏡用コネクタを介して接続される。
【０００５】
このような電子内視鏡のコネクタ部と画像処理装置との接続構成について、例えば、特許文献１に記載されている。この特許文献１に開示された電子内視鏡のコネクタ部および電子内視鏡では、電気接続用プラグ、光伝送プラグである光接続用プラグなどに衝撃荷重が加わった場合でも、画像処理装置の電気接続用ジャックおよび光接続用ジャックの各ジャックに対応する各プラグをスムーズに差し込むことができるようにした技術が記載されている。
【先行技術文献】
【特許文献】
【０００６】
【特許文献１】特開２０１３−１５８４２５号公報
【発明の概要】
【発明が解決しようとする課題】
【０００７】
ところで、従来のような画像処理装置の複数のコネクタ部のそれぞれにプラグが接続される内視鏡システムにおいては、光伝送用のファイバのような軽く折れ易い伝送部材を搭載した一方のプラグが画像処理装置の筐体に接続された状態で、他方のプラグが筐体に接続されていないと、その重みによって伝送部材が断線してしまう虞があった。
【０００８】
そのため、他方のプラグの重みにより伝送部材が断線しないように、折れ易い伝送部材を備えた一方のプラグを後に接続する必要がある。
【０００９】
このような画像処理装置に対する複数のプラグの接続の順序を規定する構成は、従来にはなく、折れ易い伝送部材の断線を防止するコネクタ機構部が望まれていた。
【００１０】
そこで、本発明は、上記事情に鑑みて成されたもので、その目的とするところは、複数のプラグを装置へ接続する際の順番を規定して、折れ易い伝送部材の断線を防止するコネクタ機構および内視鏡システムを提供することである。
【課題を解決するための手段】
【００１１】
本発明の一態様によるコネクタ機構は、第１プラグが接続される第１レセプタクルと、第２プラグが接続される第２レセプタクルと、前記第１プラグが前記第１レセプタクルに接続される接続路上に配設され、前記第１プラグの前記第１レセプタクルへの接続を阻止する阻止部と、前記第２プラグが前記第２レセプタクルに接続されている状態において、前記第２プラグの移動または回動に連動して、前記第１プラグの前記接続路上から前記阻止部を退避させる退避機構と、を具備する。
【００１２】
本発明の一態様によるは、内視鏡システムは、第１プラグが接続される第１レセプタクルと、第２プラグが接続される第２レセプタクルと、前記第１プラグが前記第１レセプタクルに接続される接続路上に配設され、前記第１プラグの前記第１レセプタクルへの接続を阻止する阻止部と、前記第２プラグが前記第２レセプタクルに接続されている状態において、前記第２プラグの移動または回動に連動して、前記第１プラグの前記接続路上から前記阻止部を退避させる退避機構と、を備えたコネクタ機構が設けられたビデオプロセッサと、前記第１プラグおよび前記第２プラグが設けられたスコープコネクタを有する内視鏡と、を具備する。
【発明の効果】
【００１３】
本発明によれば、複数のプラグを装置へ接続する際の順番を規定して、折れ易い伝送部材の断線を防止するコネクタ機構および内視鏡システムを提供することができる。
【図面の簡単な説明】
【００１４】
【図１】本発明の一態様の光走査型内視鏡システムの全体構成を示すブロック図
【図２】同、スコープコネクタを示す斜視図
【図３】同、光走査型ビデオプロセッサを示す斜視図
【図４】同、光走査型ビデオプロセッサの主にコネクタ接続部を示す断面図
【図５】同、コネクタ接続部を示す正面図
【図６】同、コネクタ接続部に接続されるスコープコネクタを示す斜視図
【図７】同、第２レセプタクルに第２プラグが接続された状態のコネクタ接続部を示す斜視図
【図８】同、第２プラグが回動された状態のコネクタ接続部を示す斜視図
【図９】同、第２プラグが回動された状態のコネクタ接続部を示す正面図
【図１０】同、第１レセプタクルに第１プラグが接続された状態のコネクタ接続部を示す斜視図
【図１１】同、第１の変形例のスコープコネクタを示す斜視図
【図１２】同、第１の変形例のコネクタ接続部を示す正面図
【図１３】同、第１の変形例の第２プラグが回動された状態のコネクタ接続部を示す正面図
【図１４】同、第２の変形例のスコープコネクタを示す斜視図
【図１５】同、第２の変形例の光走査型ビデオプロセッサの主にコネクタ接続部を示す断面図
【図１６】同、第２の変形例のコネクタ接続部を示す正面図
【図１７】同、第２の変形例の第２レセプタクルに第２プラグが接続された状態のコネクタ接続部を示す正面図
【図１８】同、第２の変形例の第２プラグが回動された状態のコネクタ接続部を示す正面図
【図１９】同、第３の変形例のスコープコネクタを示す斜視図
【図２０】同、第３の変形例のコネクタ接続部を示す斜視図
【図２１】同、第３の変形例の第２プラグが回動された状態のコネクタ接続部を示す斜視図
【図２２】同、第４の変形例の第２レセプタクルに第２プラグが接続された状態のコネクタ接続部を示す斜視図
【図２３】同、第４の変形例の第２プラグがスライド移動された状態のコネクタ接続部を示す斜視図
【発明を実施するための形態】
【００１５】
以下、図面を参照して本発明の形態を説明する。  
なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。なお、本実施の形態では、光走査型スコープを例示して説明するが、これに限定されることなく、各種スコープにも適用可能な技術である。
【００１６】
図面は本発明の一態様に係り、図１は、本発明の一態様の光走査型内視鏡システムの全体構成を示すブロック図、図２はスコープコネクタを示す斜視図、図３は光走査型ビデオプロセッサを示す斜視図、図４は光走査型ビデオプロセッサの主にコネクタ接続部を示す断面図、図５はコネクタ接続部を示す正面図、図６はコネクタ接続部に接続されるスコープコネクタを示す斜視図、図７は第２レセプタクルに第２プラグが接続された状態のコネクタ接続部を示す斜視図、図８は第２プラグが回動された状態のコネクタ接続部を示す斜視図、図９は第２プラグが回動された状態のコネクタ接続部を示す正面図、図１０は第１レセプタクルに第１プラグが接続された状態のコネクタ接続部を示す斜視図である。
【００１７】
図１に示すように内視鏡システムである光走査型内視鏡装置１は、内視鏡である光走査型スコープ２と、画像処理装置である光走査型内視鏡筐体としての光走査型ビデオプロセッサ３と、２次元画像を表示するモニタである表示部４と、を有して構成されている。
【００１８】
光走査型スコープ２は、挿入部の先端部分に走査部としてのアクチュエータ１１と、このアクチュエータ１１により駆動する照明用光ファイバ１２と、被検体１００からの反射光を伝送する受光用光ファイバ１３と、アクチュエータ１１を駆動するための駆動信号を伝送する駆動信号電線１４と、第１プラグ１５と、第２プラグ１６と、を主に有して構成されている。
【００１９】
アクチュエータ１１は、照明用光ファイバ１２の軸に直交する２つの方向に照明用光ファイバ１２の先端を振動させる図示しない圧電素子を有している。
【００２０】
圧電素子は、駆動信号電線１４を介して信号が印加され、駆動信号の電圧値に応じて照明用光ファイバ１２の先端を振動させる。
【００２１】
アクチュエータ１１は、圧電素子に２つの方向に振動させる駆動信号が印加されることで、照明用光ファイバ１２の先端を、例えば渦巻き形状の軌跡を描くように振動させる。
【００２２】
これにより、照明用光ファイバ１２の先端から出射される照明光としてのレーザ光は、被検体１００の表面を渦巻き形状の軌跡を描くように走査する。
【００２３】
なお、照明用光ファイバ１２からのレーザ光は、光走査型スコープ２の挿入部の先端部分に設けられた図示しないレンズを介して被検体１００に照射される。
【００２４】
そして、受光用光ファイバ１３には、被検体１００に照射されたレーザ光の反射光が信号光として入射される。
【００２５】
照明用光ファイバ１２は、第１プラグ１５を介して光走査型ビデオプロセッサ３に着脱自在に接続される。この照明用光ファイバ１２は、１本の光ファイバから構成されている。
【００２６】
受光用光ファイバ１３は、第２プラグ１６を介して光走査型ビデオプロセッサ３に着脱自在に接続される。この受光用光ファイバ１３は、複数の光ファイババンドルから構成されている。
【００２７】
光走査型ビデオプロセッサ３は、コネクタ機構部としてのコネクタ接続部２１と、光源部２２と、信号光検出部２３と、駆動信号生成部２４と、制御部２５と、を有して構成されている。
【００２８】
コネクタ接続部２１には、光走査型スコープ２の第１プラグ１５および第２プラグ１６が着脱自在に接続される。
【００２９】
光源部２２は、コネクタ接続部２１に接続された第１プラグ１５を介して、照明用光ファイバの基端に入射する照明光として、赤色、緑色、青色のレーザ光をそれぞれ発生する赤色光源、緑色光源および青色光源を有している。
【００３０】
これにより、照明用光ファイバ１２は、基端に入射されたレーザ光を先端に導光し、先端から図示しないレンズを介して導光したレーザ光を被検体１００に向けて照射する。 
なお、光源部２２は、被検体１００に照射されるレーザ光を適切な光量（又は強度）に設定するために、予め発生するレーザ光を適切な光量に調整する。
【００３１】
信号光検出部２３は、受光用光ファイバ１３によって伝送された被検体１００からの戻り光がコネクタ接続部２１に接続された第２プラグ１６を介して信号光として検出する。
【００３２】
即ち、信号光検出部２３には、光走査型スコープ２の挿入部の先端に入射された信号光は、受光用光ファイバ１３により基端に導光され、コネクタ接続部２１に接続された第２プラグ１６を介して入射される。
【００３３】
この信号光検出部２３は、入射された信号光を受光するフォトダイオード（ＰＤと略記）等の光電変換機能を有する光検出器を備えている。
【００３４】
このＰＤ等の光検出器は、入射された信号光を、その信号光の強度に対応したレベルの電気信号に変換して制御部２５に出力する。
【００３５】
駆動信号生成部２４は、照明用光ファイバ１２を走査するアクチュエータ１１を駆動する駆動信号を生成する。
【００３６】
制御部２５は、予め上記渦巻き形状の軌跡に沿ってレーザ光が走査する駆動信号を発生するように駆動信号生成部２４を制御する。
【００３７】
また、制御部２５は、光源部２２に対して、赤色光源、緑色光源、青色光源が発光するタイミングを、アクチュエータ１１による照明用光ファイバ１２の走査に同期して制御する。
【００３８】
このため、光源部２２の赤色光源、緑色光源、青色光源は、渦巻き形状の軌跡に沿って所定のタイミングでパルス的に発光する。
【００３９】
なお、制御部２５は、レーザ光を順次パルス発光させた各タイミングにおける渦巻き形状の軌跡上の各位置の情報を、例えば内部に設けられた第１メモリ２６に予め格納し、信号光検出部２３から順次入力される各電気信号を、各位置の情報に対応付けて第２メモリ２７に格納する。
【００４０】
このため、各位置における各電気信号は、レーザ光が照射された各位置の被検体１００における各反射光の強度を表す画素信号となる。 
そして、制御部２５は、各位置の電気信号をラスター方式の画像信号に変換してモニタ等により構成される表示部４に出力する。
【００４１】
表示部４は、光源部２２により発生したレーザ光における被検体１００により反射された反射光の検出信号に基づいて生成した画像信号に基き内視鏡画像としてカラー表示する。
【００４２】
ここで、光走査型スコープ２の第１プラグ１５および第２プラグ１６の構成について、以下に説明する。
【００４３】
図２に示すように、照明用光ファイバ１２を搭載して、光走査型ビデオプロセッサ３のコネクタ接続部２１に接続される第１プラグ１５および受光用光ファイバ１３および駆動信号電線１４を搭載して、光走査型ビデオプロセッサ３のコネクタ接続部２１に接続される第２プラグ１６は、スコープコネクタ１０を構成している。
【００４４】
第１プラグ１５からは、照明用光ファイバ１２を内部に挿通して保護する第１分岐ケーブル１５ａが延設され、第２プラグ１６からは受光用光ファイバ１３および駆動信号電線１４を内部に挿通して保護する第２分岐ケーブル１６ａが延設されている。
【００４５】
これら第１分岐ケーブル１５ａおよび第２分岐ケーブル１６ａは、１本の複合ケーブル１７から分岐部材１８によって分岐されている。
【００４６】
即ち、第１プラグ１５および第２プラグ１６は、それぞれから延設された第１分岐ケーブル１５ａまたは第２分岐ケーブル１６ａが分岐部材１８を介して接続されることで、複合ケーブル１７から２股に分岐されている。
【００４７】
第１プラグ１５および第２プラグ１６は、ここでは略外径柱状をしている。ここでは、第１プラグ１５が第２プラグ１６よりも軽量なものとなっている。なお、第２プラグ１６には、外周一部分から突起する退避機構の１つを構成する突起部３１が設けられている。
【００４８】
そして、第１プラグ１５および第１分岐ケーブル１５ａ内に配設される照明用光ファイバ１２は、光ファイバであるため軽く、折れ易い低剛性（低強度）の伝送部材となっている。
【００４９】
次に、光走査型スコープ２の第１プラグ１５および第２プラグ１６が接続される光走査型ビデオプロセッサ３のコネクタ機構部であるコネクタ接続部２１について、以下に説明する。
【００５０】
光走査型ビデオプロセッサ３のフロントパネル５には、図３から図５に示すように、光走査型スコープ２の第１プラグ１５および第２プラグ１６を接続するコネクタ開口部６が形成されており、このコネクタ開口部６の近傍のフロントパネル５の背面側に可動部材である切替部としての退避機構の１つを構成する円盤部材３２が回動自在に配設されている。
【００５１】
円盤部材３２は、コネクタ接続部２１に配設され、外径側に穿設され、第１プラグ１５が挿通自在な第１挿通路となる孔部である第１開口部３３と、閉口部としての盤面３２ａの中心Ｏに孔中心が穿設され（図５参照）、第２プラグ１６が挿通自在な第２挿通路となる孔部である第２開口部３４と、を有している。
【００５２】
なお、第２開口部３４は、外周一部に、ここでは矩形凸部状に形成されたキー溝３５が形成されている。
【００５３】
円盤部材３２は、上下部分に係合される退避機構の１つを構成する回動保持部材３６，３７によって盤面３２ａの中心Ｏ回りに回動自在に保持されている。
【００５４】
また、コネクタ接続部２１には、円盤部材３２よりも内部側に、第１プラグ１５が挿入して接続される第１レセプタクル４１と、第２プラグ１６が回動自在に挿入して接続される第２レセプタクル４２と、が設けられている。
【００５５】
なお、円盤部材３２は、光走査型ビデオプロセッサ３の内部に設けられており、回動保持部材３６，３７によって設置されているため、ユーザが直接、回動させることはできない構成となっている。
【００５６】
次に、光走査型スコープ２のスコープコネクタ１０の第１プラグ１５および第２プラグ１６を光走査型ビデオプロセッサ３のコネクタ接続部２１に接続する際の動作について以下に説明する。
【００５７】
図６に示す状態において、光走査型ビデオプロセッサ３のフロントパネル５に設けられたコネクタ開口部６には、円盤部材３２の第２開口部３４のみが露出した状態となっている。
【００５８】
即ち、円盤部材３２は、第１開口部３３がコネクタ開口部６において露出していないフロントパネル５によって隠された退避位置にあって、閉口部である盤面３２ａが第１プラグ１５の接続路上に位置した状態となっている。
【００５９】
そのため、ユーザは、光走査型スコープ２の第１プラグ１５のみ光走査型ビデオプロセッサ３に挿入して接続できないようになっている。
【００６０】
そして、ユーザは、図７に示すように、突起部３１をキー溝３５に嵌合させて、第２プラグ１６を第２開口部３４に挿入し第２レセプタクル４２に接続して、ここでは時計回りに第２プラグ１６を軸回りに回動させる。
【００６１】
このとき、突起部３１がキー溝３５に引っ掛かり、円盤部材３２も第２プラグ１６の回動に連動して時計回りに回動する。
【００６２】
ユーザは、図８および図９に示すように、円盤部材３２の第１開口部３３を退避している位置から第１レセプタクル４１と一致する第１プラグ１５の接続路上の位置まで第２プラグ１６を回動して切替えることで、図１０に示すように、第１プラグ１５を第１開口部３３に挿入して、第１レセプタクル４２に接続できるようになる。
【００６３】
即ち、光走査型ビデオプロセッサ３のフロントパネル５に設けられたコネクタ開口部６から閉口部である盤面３２ａが移動して第１開口部３３が露出した状態となり、第１プラグ１５を第１レセプタクル４１に接続できるようになる。
【００６４】
このように、スコープコネクタ１０の第１プラグ１５および第２プラグ１６は、光走査型ビデオプロセッサ３のコネクタ接続部２１への未接続時に、円盤部材３２の盤面３２ａが第１レセプタクル４２の接続路上の入り口を塞ぐ阻止部となり、第１プラグ１５を第１レセプタクル４１に接続することができないようになっている。
【００６５】
したがって、光走査型ビデオプロセッサ３のコネクタ接続部２１は、スコープコネクタ１０の未接続時に、第２プラグ１６のみが接続可能となり、第１プラグ１５と第２プラグ１６を接続するプラグの接続順序が物理的に規定される。
【００６６】
なお、第１開口部３３が第１レセプタクル４１と一致する位置に円盤部材３２の回動位置を規定するためのストッパを別途設けてもよい。
【００６７】
以上の説明により、本実施の形態の光走査型内視鏡装置１は、光走査型ビデオプロセッサ３のコネクタ機構部であるコネクタ接続部２１の第１レセプタクル４１および第２レセプタクル４２のそれぞれに対応した光走査型スコープ２のスコープコネクタ１０の第１プラグ１５または第２プラグ１６が接続される構成であって、第２プラグ１６が先に第２レセプタクル４２と接続しないと、光伝送用のファイバのような軽く折れ易い低剛性（低強度）の伝送部材である照明用光ファイバ１２を搭載した第１プラグ１５を接続できないため、第２プラグ１６の重みによって照明用光ファイバ１２が断線することを防止することができる。
【００６８】
したがって、光走査型内視鏡装置１は、光走査型スコープ２の複数のプラグを光走査型ビデオプロセッサ３へ接続する際の順番を規定して、折れ易い低剛性（低強度）伝送部材の断線を防止することができる構成となる。
【００６９】
（第１の変形例）
図１１は、第１の変形例のスコープコネクタを示す斜視図、図１２は第１の変形例のコネクタ接続部を示す正面図、図１３は第１の変形例の第２プラグが回動された状態のコネクタ接続部を示す正面図である。
【００７０】
なお、スコープコネクタ１０は、第１プラグ１５および第２プラグ１６の２つに限らず、複数、例えば、図１１に示すように第１プラグ１５および第２プラグ１６に加え、第３プラグ１９の３つのプラグを有した構成としてもよい。
【００７１】
第３プラグ１９は、１本の複合ケーブル１７から分岐部材１８によって分岐される第３分岐ケーブル１９ａが延設している。この第３プラグ１９および第３分岐ケーブル１９ａにも、光ファイバ、細い配線などの折れ易い低剛性（低強度）の伝送部材が搭載された構成となっている。
【００７２】
そして、光走査型ビデオプロセッサ３のコネクタ接続部２１には、図１２に示すように、第３レセプタクル４３が第１レセプタクル４１に対して第２レセプタクル４２の図中の中心Ｏで示す中心点対称の位置に設けられる。
【００７３】
さらに、円盤部材３２には、第３開口部３８が第１開口部３３に対して第２開口部３４の図１２中の中心Ｏで示す中心点対称の位置に穿設される。
【００７４】
このような構成としても、光走査型ビデオプロセッサ３のフロントパネル５に設けられたコネクタ開口部６には、円盤部材３２の第１開口部３３および第３の開口部が露出していないフロントパネル５によって隠された退避位置にあるとき、円盤部材３２の第２開口部３４のみが露出した状態となる。
【００７５】
そのため、ユーザは、光走査型スコープ２の第２プラグ１６のみ光走査型ビデオプロセッサ３に挿入して接続できないようになっている。
【００７６】
そして、ユーザは、第２プラグ１６の突起部３１を第２開口部３４のキー溝３５に合わせて、第２プラグ１６を第２開口部３４に挿入し第２レセプタクル４２に接続して、ここでも時計回りに第２プラグ１６を軸回りに回動させて、円盤部材３２を連動して時計回りに回動する。
【００７７】
すると、図１３に示すように、円盤部材３２の第１開口部３３および第３開口部３８が退避した位置から第１レセプタクル４１および第３レセプタクル４３と一致する位置まで第２プラグ１６を回動することで、第１プラグ１５および第３プラグ１９を第１開口部３３および第３開口部３８に挿入して、第１レセプタクル４２および第３レセプタクル４３に接続できるようになる。
【００７８】
このように、スコープコネクタ１０の第１プラグ１５、第２プラグ１６および第３プラグ１９は、光走査型ビデオプロセッサ３のコネクタ接続部２１への未接続時に、円盤部材３２の閉口部となる盤面３２ａが第１レセプタクル４２および第３レセプタクル４３の接続路上の入り口を塞ぐ阻止部となり、第１プラグ１５および第３プラグ１９を第１レセプタクル４１および第３レセプタクル４３に接続することができないようになっている。
【００７９】
したがって、本変形例においても、光走査型ビデオプロセッサ３のコネクタ接続部２１は、スコープコネクタ１０の未接続時において、第２プラグ１６のみが接続可能となり、第２プラグ１６を接続した後に、第１プラグ１５および第３プラグ１９を接続できるようになるプラグの接続順序を物理的に規定することができ、上述と同じ作用効果を得ることができる。
【００８０】
（第２の変形例）
図１４は、第２の変形例のスコープコネクタを示す斜視図、図１５は第２の変形例の光走査型ビデオプロセッサの主にコネクタ接続部を示す断面図、図１６は第２の変形例のコネクタ接続部を示す正面図、図１７は第２の変形例の第２レセプタクルに第２プラグが接続された状態のコネクタ接続部を示す正面図、図１８は第２の変形例の第２プラグが回動された状態のコネクタ接続部を示す正面図である。
【００８１】
本変形例のスコープコネクタ１０の第２プラグ１６は、図１４に示すように、突起部３１に変えて、外周部から突出するように形成された平歯状の退避機構の１つを構成するプラグ側ギア５１が設けられている。
【００８２】
そして、光走査型ビデオプロセッサ３のコネクタ接続部２１には、図１５および図１６に示すように、一部に開口部としての切欠部５３が形成された略円板状の可動部材である切替部としての退避機構の１つを構成するコネクタ側ギア５２が回動軸５４に回動自在に軸支された状態で配設されている。
【００８３】
このように構成された本変形例の光走査型内視鏡装置１は、図１６に示す状態において、光走査型ビデオプロセッサ３のフロントパネル５に設けられたコネクタ開口部６には、第２開口部３４のみが露出した状態となっている。
【００８４】
即ち、第１レセプタクル４１の入り口は、コネクタ側ギア５２のギア面５５によって隠され、切欠部５３が退避した位置にある。
【００８５】
そのため、ユーザは、光走査型スコープ２の第１プラグ１５のみ光走査型ビデオプロセッサ３に挿入して接続できないようになっている。
【００８６】
そして、ユーザは、図１７に示すように、第２プラグ１６を第２レセプタクル４２に挿入すると、プラグ側ギア５１がコネクタ側ギア５２に噛合する。
【００８７】
そして、ユーザは、第２プラグ１６を、ここでは時計回りの軸回りに回動させて、第２レセプタクル４２に接続する。このとき、プラグ側ギア５１に噛合するコネクタ側ギア５２は、第２プラグ１６の回動に連動して反時計回りに回動する。
【００８８】
ユーザは、図１８に示すように、コネクタ側ギア５２の切欠部５３が退避した位置から第１レセプタクル４１を露出させる位置まで第２プラグ１６を回動することで、第１プラグ１５を第１開口部３３に挿入して、第１レセプタクル４１に接続できるようになる。
【００８９】
このようにして、本変形例では、光走査型ビデオプロセッサ３のフロントパネル５に設けられたコネクタ開口部６に第１開口部３３が露出した状態となり、第１プラグ１５を第１レセプタクル４１に接続できるようになる。
【００９０】
そのため、本変形例の構成においても、スコープコネクタ１０の第１プラグ１５および第２プラグ１６は、光走査型ビデオプロセッサ３のコネクタ接続部２１への未接続時に、コネクタ側ギア５２の閉口部となるギア面５５が第１レセプタクル４２の入り口を塞ぐ阻止部となり、第１プラグ１５を第１レセプタクル４１に接続することができないようになっている。
【００９１】
したがって、本変形例においても、光走査型ビデオプロセッサ３のコネクタ接続部２１は、スコープコネクタ１０の未接続時において、第２プラグ１６のみが接続可能となり、第２プラグ１６を接続した後に、第１プラグ１５を接続できるようになるプラグの接続順序を物理的に規定することができ、上述と同じ作用効果を得ることができる。
【００９２】
なお、本変形例の構成において、第１の変形例に記載したように、スコープコネクタ１０が第１プラグ１５および第２プラグ１６の２つに限らず、複数、例えば、第１プラグ１５および第２プラグ１６に加え、第３プラグ１９の３つのプラグを有した構成としてもよい。
【００９３】
その場合、第２プラグ１６のプラグ側ギア５１に噛合するコネクタ側ギア５２を光走査型ビデオプロセッサ３のコネクタ接続部２１に設けられる第３レセプタクル４３側に、もう１つ設けることで、スコープコネクタ１０の未接続時において、第２プラグ１６のみが接続可能となり、第２プラグ１６を接続した後に、第１プラグ１５および第３プラグ１９を接続できるようになるプラグの接続順序を物理的に規定することができる。
【００９４】
（第３の変形例）
図１９は、第３の変形例のスコープコネクタを示す斜視図、図２０は第３の変形例のコネクタ接続部を示す斜視図、図２１は第３の変形例の第２プラグが回動された状態のコネクタ接続部を示す斜視図である。
【００９５】
ところで、上述では、スコープコネクタ１０の未接続時において、第１プラグ１５および第２プラグ１６を光走査型ビデオプロセッサ３のコネクタ接続部２１に接続するときの接続順序を物理的に規定する構成を示したが、第１プラグ１５および第２プラグ１６を光走査型ビデオプロセッサ３のコネクタ接続部２１からの抜去順序も物理的に規定したほうが好ましい。
【００９６】
そこで、本変形例においては、第１プラグ１５よりも先に光走査型ビデオプロセッサ３のコネクタ接続部２１から第２プラグ１６が抜去できないように係止してロックするロック機構部を設けた構成となっている。
【００９７】
具体的には、図１９に示すように、第２プラグ１６は、外周部に長手軸方向である挿入軸方向に並ぶように、上述した突起部３１（以下、第１突起部３１）に加え、さらに凸状のロック機構部を構成する第２突起部３９が設けられている。
【００９８】
第１突起部３１は、第２プラグ１６の先端側に配設され、上述同様に、突起部３１を円盤部材３２に形成された第２開口部３４のキー溝３５に嵌合させて、第２プラグ１６の回動時に円盤部材３２を連動して回動させるためのものである。
【００９９】
第２突起部３９は、第２プラグ１６の基端側に配設され、図２０に示すように、第２レセプタクル４２に設けられたロック機構部を構成するロック溝４４に係合して、第２プラグ１６を第２レセプタクル４２から抜去できないようにするためのものである。なお、ロック溝４４は、挿入方向に対して直交する方向にも第２レセプタクル４２の外周部に沿って形成された略Ｌ字状のキー溝となっている。
【０１００】
本変形例の構成では、図２１に示すように、円盤部材３２の第１開口部３３が第１レセプタクル４１と一致する位置まで第２プラグ１６が回動されて、第１プラグ１５が第１レセプタクル４２に対して挿抜できる状態において、第２レセプタクル４２のロック溝４４が挿入方向に対して直交する部分に第２プラグ１６の第２突起部３９が移動して係止されるため、第２レセプタクル４２から第２プラグ１６を抜去できないようになっている。
【０１０１】
即ち、光走査型ビデオプロセッサ３のフロントパネル５に設けられたコネクタ開口部６に第１開口部３３が露出した状態のとき、第１プラグ１５を第１レセプタクル４１に対して着脱することができるが、第２レセプタクル４２から第２プラグ１６を引き抜くことができない。
【０１０２】
したがって、光走査型ビデオプロセッサ３のコネクタ接続部２１は、第１プラグ１５を先に外さないと、第２プラグ１６を外すことができない構成となっており、第１プラグ１５と第２プラグ１６を抜去するプラグの接続順序が物理的に規定される。
【０１０３】
以上の説明により、本変形例の光走査型内視鏡装置１は、上述した効果に加え、第１プラグ１５を先に第１レセプタクル４１から抜去しないと、第２プラグ１６を第２レセプタクル４２から抜去できないため、第２プラグ１６の重みによって第１プラグ１５に搭載される光伝送用のファイバのような軽く折れ易い低剛性（低強度）の伝送部材である照明用光ファイバ１２が断線することを防止することができる。
【０１０４】
したがって、光走査型内視鏡装置１は、光走査型スコープ２の複数のプラグを光走査型ビデオプロセッサ３へ接続および抜去する際の順番を規定して、折れ易い低剛性（低強度）の伝送部材の断線を防止することができる構成となる。
【０１０５】
なお、本変形例のロック機構部を構成する第２突起部３９およびロック溝４４を設けた構成は、上記第１の変形例および第２の変形例の構成に付加して適用することも可能である。
【０１０６】
（第４の変形例）
図２２は、第４の変形例の第２レセプタクルに第２プラグが接続された状態のコネクタ接続部を示す斜視図、図２３は第４の変形例の第２プラグがスライド移動された状態のコネクタ接続部を示す斜視図である。
【０１０７】
なお、上述の実施の形態および変形例では、円盤部材３２を回動させて、円盤部材３２の第１開口部３３が退避した位置から第１レセプタクル４１と一致する位置まで第２プラグ１６を回動することで、第１プラグ１５を第１レセプタクル４２に着脱できるようにした構成を説明したが、これに限定されることなく、例えば、図２２および図２３に示すように、可動部材である切替部としての退避機構の１つを構成する板状部材４５をスライドする構成としてもよい。
【０１０８】
具体的には、板状部材４５は、上述と同様に、第１開口部３３およびキー溝３５が形成された第２開口部３４が穿設されている。なお、この板状部材４５は、図示しないレールなどによって、左右方向にスライド移動自在に設けられている。
【０１０９】
ここでの第２レセプタクル４２は、挿入される第２プラグ１６がスライドできるように左右方向の長孔形状となっており、第３の変形例に記載した略Ｌ字状のロック溝４４が上部に設けられている。
【０１１０】
本変形例においても、図２２に示す状態において、光走査型ビデオプロセッサ３のフロントパネル５に設けられたコネクタ開口部６（ここでは不図示）には、板状部材４５の第２開口部３４のみが露出した状態となっている。
【０１１１】
即ち、板状部材４５の第１開口部３３は、コネクタ開口部６において露出していないフロントパネル５によって隠された退避位置にある。
【０１１２】
そのため、ユーザは、光走査型スコープ２の第２プラグ１６のみ光走査型ビデオプロセッサ３に挿入して接続できないようになっている。
【０１１３】
そして、ユーザは、突起部３１をキー溝３５に嵌合させて、第２プラグ１６を第２開口部３４に挿入し第２レセプタクル４２に接続して、ここでは右方向に第２プラグ１６をスライド移動させ、板状部材４５を右方向にスライドさせる。
【０１１４】
こうして、ユーザは、板状部材４５の第１開口部３３が退避した位置から第１レセプタクル４１と一致する位置まで第２プラグ１６をスライド移動することで、図２３に示すように、第１プラグ１５を第１開口部３３に挿入して、第１レセプタクル４２に接続できるようになる。
【０１１５】
このように、本変形例の構成においても、スコープコネクタ１０の第１プラグ１５および第２プラグ１６は、光走査型ビデオプロセッサ３のコネクタ接続部２１への未接続時に、板状部材４５の閉口部となる板面４５ａが第１レセプタクル４２の接続路上の入り口を塞ぐ阻止部となり、第１プラグ１５を第１レセプタクル４１に接続することができないようになっている。
【０１１６】
したがって、光走査型ビデオプロセッサ３のコネクタ接続部２１は、スコープコネクタ１０の未接続時に、第２プラグ１６のみが接続可能となり、第１プラグ１５と第２プラグ１６を接続するプラグの接続順序が物理的に規定される。
【０１１７】
さらに、本変形例の構成では、板状部材４５の第１開口部３３が第１レセプタクル４１と一致する位置まで第２プラグ１６がスライド移動されて、第１プラグ１５が第１レセプタクル４２に対して挿抜できる状態において、第２レセプタクル４２のロック溝４４が挿入方向に対して直交する部分に第２プラグ１６の第２突起部３９が移動して係止されるため、第２レセプタクル４２から第２プラグ１６を抜去できないようになる。
【０１１８】
即ち、本変形例の構成においても、光走査型ビデオプロセッサ３のフロントパネル５に設けられたコネクタ開口部６に第１開口部３３が露出した状態のとき、第１プラグ１５を第１レセプタクル４１に対して着脱することができるが、第２レセプタクル４２から第２プラグ１６を引き抜くことができない。
【０１１９】
したがって、光走査型ビデオプロセッサ３のコネクタ接続部２１は、第１プラグ１５を先に外さないと、第２プラグ１６を外すことができない構成となっており、第１プラグ１５と第２プラグ１６を抜去するプラグの接続順序が物理的に規定される。
【０１２０】
以上の説明により、本変形例の光走査型内視鏡装置１は、光走査型スコープ２の複数のプラグを光走査型ビデオプロセッサ３へ接続および抜去する際の順番を規定して、折れ易い低剛性（低強度）の伝送部材の断線を防止することができる構成となる。
【０１２１】
以上に記載の実施の形態および各変形例の構成により、光走査型内視鏡装置１は、複数コネクタの接続および抜去順を物理的に定めることができることで、ユーザが接続順を気にする心理的な負担を軽くすることができると共に、光走査型スコープ２の破損を防ぐことができ、修理コストの発生を抑えることができるという利点がある。
【０１２２】
なお、本発明は、以上説明した実施の形態および各変形例に限定されることなく、種々の変形や変更が可能であり、それらも本発明の技術的範囲内である。
【符号の説明】
【０１２３】
１…光走査型内視鏡装置
２…光走査型スコープ
３…光走査型ビデオプロセッサ
４…表示部
５…フロントパネル
６…コネクタ開口部
１０…スコープコネクタ
１１…アクチュエータ
１２…照明用光ファイバ
１３…受光用光ファイバ
１４…駆動信号電線
１５…第１プラグ
１５ａ…第１分岐ケーブル
１６…第２プラグ
１６ａ…第２分岐ケーブル
１７…複合ケーブル
１８…分岐部材
１９…第３プラグ
１９ａ…第３分岐ケーブル
２１…コネクタ接続部
２２…光源部
２３…信号光検出部
２４…駆動信号生成部
２５…制御部
２６…第１メモリ
２７…第２メモリ
３１…突起部（第１突起部）
３２…円盤部材
３２ａ…盤面
３３…第１開口部
３４…第２開口部
３５…キー溝
３６，３７…回動保持部材
３８…第３開口部
３９…第２突起部
４１…第１レセプタクル
４２…第２レセプタクル
４３…第３レセプタクル
４４…ロック溝
４５…板状部材
４５ａ…板面
５１…プラグ側ギア
５２…コネクタ側ギア
５３…切欠部
５４…回動軸
５５…ギア面
１００…被検体
Ｏ…中心
【図１】
2017185145.tif 000003
【図２】
2017185145.tif 000004
【図３】
2017185145.tif 000005
【図４】
2017185145.tif 000006
【図５】
2017185145.tif 000007
【図６】
2017185145.tif 000008
【図７】
2017185145.tif 000009
【図８】
2017185145.tif 000010
【図９】
2017185145.tif 000011
【図１０】
2017185145.tif 000012
【図１１】
2017185145.tif 000013
【図１２】
2017185145.tif 000014
【図１３】
2017185145.tif 000015
【図１４】
2017185145.tif 000016
【図１５】
2017185145.tif 000017
【図１６】
2017185145.tif 000018
【図１７】
2017185145.tif 000019
【図１８】
2017185145.tif 000020
【図１９】
2017185145.tif 000021
【図２０】
2017185145.tif 000022
【図２１】
2017185145.tif 000023
【図２２】
2017185145.tif 000024
【図２３】
2017185145.tif 000025